(57)【要約】【課題】  複数の情報処理装置間でデータのやり取りを行う情報処理システムにおいて、データ配信を行う際の利便性の向上を図る。【解決手段】  データ配信サーバ１００は、所定収集規定に基づいて、図中に実線矢印で示したように、各サーバ２００から、各種データを自動収集し、管理データとして一元管理する。この管理データには、例えば、在庫情報や、受注情報や、製造仕掛り情報や、出荷情報などの種々のデータが含まれる。そして、データ配信サーバ１００は、所定の配信規定に基づいて、管理データから、各サーバ２００に対応する配信データをそれぞれ作成し、図中に破線矢印で示したように、それぞれ配信する。【選択図】  図１
2005346133.tif 000002
【特許請求の範囲】
【請求項１】
複数の情報処理装置に、それぞれ所定の配信データを配信するデータ配信装置であって、
所定の管理データを記憶する管理データ記憶部と、
前記情報処理装置ごとに予め規定された所定の配信規定に基づいて、前記管理データから、前記各情報処理装置に対応する所定の配信データを、それぞれ作成する配信データ作成部と、
前記各配信データを、該各配信データに対応する前記情報処理装置にそれぞれ配信する配信制御部と、
を備えるデータ配信装置。
【請求項２】
請求項１記載のデータ配信装置であって、
前記配信制御部は、前記配信規定に基づいて、前記各情報処理装置に対応する所定のタイミングで、前記各配信データを配信する、
データ配信装置。
【請求項３】
請求項１記載のデータ配信装置であって、さらに、
前記各配信データを、配信先となる前記情報処理装置で処理可能なデータ形式に変換するデータ変換部を備える、
データ配信装置。
【請求項４】
請求項１記載のデータ配信装置であって、さらに、
前記情報処理装置ごとに予め規定された所定の収集規定に基づいて、前記各情報処理装置から、それぞれデータを収集するデータ収集部を備え、
前記データ記憶部は、前記収集されたデータを、前記管理データとして記憶する、
データ配信装置。
【請求項５】
請求項４記載のデータ配信装置であって、
前記データ収集部は、前記収集規定に基づいて、前記各情報処理装置に対応する所定のタイミングで、前記収集を行う、
データ配信装置。
【請求項６】
請求項４記載のデータ配信装置であって、さらに、
前記収集された各データを、前記データ記憶部で管理可能なデータ形式に変換するデータ変換部を備える、
データ配信装置。
【請求項７】
コンピュータによって、複数の情報処理装置に、それぞれ所定の配信データを配信するデータ配信方法であって、
前記コンピュータが実行する工程として、
（ａ）前記情報処理装置ごとに予め規定された所定の配信規定に基づいて、所定の管理データから、前記各情報処理装置に対応する所定の配信データを、それぞれ作成する工程と、
（ｂ）前記各配信データを、該各配信データに対応する前記情報処理装置にそれぞれ配信する工程と、
を備える配信方法。
【請求項８】
コンピュータによって、複数の情報処理装置に、それぞれ所定の配信データを配信するデータ配信方法であって、
前記コンピュータが実行する工程として、
（ａ）前記情報処理装置ごとに予め規定された所定の収集規定に基づいて、前記各情報処理装置から、それぞれデータを収集する工程と、
（ｂ）前記収集されたデータを、所定の管理データとして記憶する工程と、
（ｃ）前記情報処理装置ごとに予め規定された所定の配信規定に基づいて、前記管理データから、前記各情報処理装置に対応する所定の配信データを、それぞれ作成する工程と、
（ｄ）前記各配信データを、該各配信データに対応する前記情報処理装置にそれぞれ配信する工程と、
を備える配信方法。
【請求項９】
複数の情報処理装置に、それぞれ所定の配信データを配信するためのコンピュータプログラムであって、
前記情報処理装置ごとに予め規定された所定の配信規定に基づいて、所定の管理データから、前記各情報処理装置に対応する所定の配信データを、それぞれ作成する機能と、
前記各配信データを、該各配信データに対応する前記情報処理装置にそれぞれ配信する機能と、
をコンピュータに実現させるためのコンピュータプログラム。
【請求項１０】
複数の情報処理装置に、それぞれ所定の配信データを配信するためのコンピュータプログラムであって、
前記情報処理装置ごとに予め規定された所定の収集規定に基づいて、前記各情報処理装置から、それぞれデータを収集する機能と、
前記収集されたデータを、所定の管理データとして記憶する機能と、
前記情報処理装置ごとに予め規定された所定の配信規定に基づいて、前記管理データから、前記各情報処理装置に対応する所定の配信データを、それぞれ作成する機能と、
前記各配信データを、該各配信データに対応する前記情報処理装置にそれぞれ配信する機能と、
をコンピュータに実現させるためのコンピュータプログラム。
【請求項１１】
請求項９または１０記載のコンピュータプログラムをコンピュータ読み取り可能に記録した記録媒体。
【発明の詳細な説明】
【技術分野】
【０００１】
本発明は、複数の情報処理装置に、それぞれ所定の配信データを配信するデータ配信装置に関するものである。
【背景技術】
【０００２】
従来、複数の情報処理装置間でデータを共有する情報処理システムが普及している。このような情報処理システムでは、複数の情報処理装置間で各種データのやり取りが行われる場合がある。この場合、各情報処理装置は、データ配信先となる情報処理装置からの要求に応じて、その都度、所望のデータを配信していた。
【０００３】
【特許文献１】特開２０００−９９４７８号公報
【特許文献２】特開２００２−３６６４１６号公報
【発明の開示】
【発明が解決しようとする課題】
【０００４】
しかし、各情報処理装置が配信先に応じてそれぞれ個別にデータ配信するのは、処理負担が大きかった。例えば、情報処理装置間で、オペレーションシステムや、アプリケーションが異なっている場合には、配信先ごとに、データの形式を変換しなければならない場合があった。このような処理負担は、システム内の情報処理装置の数が増加する程、増加する傾向にある。
【０００５】
本発明は、上述の課題を解決するためになされたものであり、複数の情報処理装置間でデータのやり取りを行う情報処理システムにおいて、データ配信を行う際の利便性の向上を図ることを目的とする。
【課題を解決するための手段】
【０００６】
上述の課題の少なくとも一部を解決するため、本発明では、以下の構成を採用した。
本発明の装置は、
複数の情報処理装置に、それぞれ所定の配信データを配信するデータ配信装置であって、
所定の管理データを記憶する管理データ記憶部と、
前記情報処理装置ごとに予め規定された所定の配信規定に基づいて、前記管理データから、前記各情報処理装置に対応する所定の配信データを、それぞれ作成する配信データ作成部と、
前記各配信データを、該各配信データに対応する前記情報処理装置にそれぞれ配信する配信制御部と、
を備えることを要旨とする。
【０００７】
配信規定には、各情報処理装置へのデータ配信に関するルールが規定されている。このルールとしては、例えば、管理データから作成する配信データの内容や、配信データの配信タイミングや、データ形式などについてのルールが挙げられる。この配信規定は、任意に設定可能である。
【０００８】
本発明では、複数の情報処理装置で利用するための管理データを、データ配信装置で一元管理し、配信規定に基づいて作成された各配信データを、対応する各情報処理装置にそれぞれ自動配信する。こうすることによって、複数の情報処理装置間でデータのやり取りを行う情報処理システムにおいて、データ配信を行う際の利便性の向上を図ることができる。
【０００９】
上記データ配信装置において、配信規定に、各情報処理装置への配信データの配信タイミングが規定されている場合、
前記配信制御部は、前記配信規定に基づいて、前記各情報処理装置に対応する所定のタイミングで、前記各配信データを配信するようにすることができる。
【００１０】
こうすることによって、情報処理装置からの要求によらずに、予め規定されたタイミングで、各情報処理装置に対応する各配信データを配信することができる。
【００１１】
また、本発明のデータ配信装置において、さらに、
前記各配信データを、配信先となる前記情報処理装置で処理可能なデータ形式に変換するデータ変換部を備えるようにすることができる。
【００１２】
こうすることによって、データ配信装置と、配信データの配信先となる情報処理装置との間で、オペレーションシステムや、アプリケーションが異なる場合であっても、配信先となる情報処理装置に応じて、配信データのデータ形式を柔軟に変換することができる。
【００１３】
また、本発明のデータ配信装置において、さらに、
前記情報処理装置ごとに予め規定された所定の収集規定に基づいて、前記各情報処理装置から、それぞれデータを収集するデータ収集部を備え、
前記データ記憶部は、前記収集されたデータを、前記管理データとして記憶するようにすることができる。
【００１４】
収集規定には、各情報処理装置からのデータ収集に関するルールが規定されている。このルールとしては、例えば、収集データの内容・ファイル名や、収集タイミングや、データ形式などについてのルールが挙げられる。この収集規定は、任意に設定可能である。
【００１５】
本発明によって、各情報処理装置から所望のデータを自動収集して、管理データとして一元管理し、この管理データから配信データを作成し、配信することができる。
【００１６】
上記データ配信装置において、収集規定に、各情報処理装置からのデータの収集タイミングが規定されている場合、
前記データ収集部は、前記収集規定に基づいて、前記各情報処理装置に対応する所定のタイミングで、前記収集を行うようにすることができる。
【００１７】
こうすることによって、予め設定された所定のタイミングで、各情報処理装置から所望のデータの収集を行うことができる。
【００１８】
また、上記データ収集部を備えるデータ配信装置において、さらに、
前記収集された各データを、前記データ記憶部で管理可能なデータ形式に変換するデータ変換部を備えるようにしてもよい。
【００１９】
こうすることによって、各情報処理装置から収集したデータを、所定のデータ形式で管理することができる。
【００２０】
本発明は、上述した種々の特徴を必ずしも全て備えている必要はなく、その一部を省略したり、適宜、組み合わせたりして構成することができる。本発明は、上述のデータ配信装置としての構成の他、データ配信方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２１】
本発明をコンピュータプログラムまたはそのプログラムを記録した記録媒体等として構成する場合には、データ配信装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００２２】
以下、本発明の実施の形態について、実施例に基づき以下の順序で説明する。
Ａ．データ配信システム：
Ｂ．データ配信サーバ
Ｃ．データ収集処理：
Ｄ．データ配信処理：
Ｅ．変形例：
【００２３】
Ａ．データ配信システム：
図１は、本発明の一実施例としてのデータ配信システム１０００の概略構成を示す説明図である。このデータ配信システム１０００は、データ配信サーバ１００と、Ａ工場のサーバ２００[１]と、Ｂ工場のサーバ２００[２]と、Ｃ工場のサーバ２００[３]と、Ｄ事業所のサーバ２００[４]と、Ｅ事業所のサーバ２００[５]と、Ｆ事業所のサーバ２００[６]とを備えている（以下、Ａ工場のサーバ２００[１]と、Ｂ工場のサーバ２００[２]と、Ｃ工場のサーバ２００[３]と、Ｄ事業所のサーバ２００[４]と、Ｅ事業所のサーバ２００[５]と、Ｆ事業所のサーバ２００[６]とを総称して、サーバ２００とも呼ぶ）。これらは、インターネットＩＮＴを介して互いに接続されている。なお、サーバ２００の数は、図示した例に限られず、任意に設定可能である。データ配信サーバ１００は、本発明におけるデータ配信装置に相当する。サーバ２００は、本発明における情報処理装置に相当する。
【００２４】
本実施例のデータ配信システム１０００の概要は、以下の通りである。データ配信サーバ１００は、後述する所定の収集規定に基づいて、図中に実線矢印で示したように、各サーバ２００から、各種データを自動収集し、管理データとして一元管理する。この管理データには、例えば、在庫情報や、受注情報や、製造仕掛り情報や、出荷情報などの種々のデータが含まれる。そして、データ配信サーバ１００は、後述する所定の配信規定に基づいて、管理データから、各サーバ２００に対応する配信データをそれぞれ作成し、図中に破線矢印で示したように、それぞれ配信する。
【００２５】
Ｂ．データ配信サーバ：
図２は、データ配信サーバ１００の概略構成を示す説明図である。図中にサーバ２００の構成を併せて示した。
【００２６】
データ配信サーバ１００は、図示しないＣＰＵや、メモリや、ハードディスクや、通信装置を備えている。メモリには、ＣＰＵが実行することによって、図示した受信制御部１１０、配信制御部１２０、データ変換部１３０として機能するコンピュータプログラムが格納されている。ハードディスクには、受信制御データベース１５０と、配信制御データベース１６０と、管理データ用データベース１７０とが格納されている。
【００２７】
受信制御部１１０は、受信制御データベース１５０に格納された所定の収集規定を参照し、この収集規定に基づいて、各サーバ２００からデータを収集するための種々の制御を行う。すなわち、受信制御部１１０は、通信部１４０、および、データ変換部１３０を介して、各サーバ２００から所定のデータをそれぞれ収集し、各サーバ２００で利用するための管理データとして、管理データ用データベースに格納する。各サーバ２００から収集するデータとしては、例えば、在庫情報や、製造仕掛り情報や、出荷実績情報などが挙げられる。受信制御データベース１５０については、後述する。
【００２８】
配信制御部１２０は、配信制御データベース１６０に格納された所定の配信規定を参照し、この配信規定に基づいて、各サーバ２００に配信データを配信するための種々の制御を行う。すなわち、配信制御部１２０は、管理データ用データベースに格納された管理データから、各サーバ２００に配信するための配信データをそれぞれ作成し、各配信データを、データ変換部１３０、および、通信部１４０を介して、各サーバ２００にそれぞれ配信する。配信制御データベース１６０については、後述する。
【００２９】
データ変換部１３０は、受信制御部１１０、または、配信制御部１２０の制御下で、データ配信サーバ１００と、各サーバ２００との間のオペレーションシステムが異なる場合に、各サーバ２００から受信したデータ、または、各サーバ２００へ配信する配信データのデータ形式の変換を行う。データ形式の変換を行う際の変換ルールは、後述する収集規定、および、配信規定に規定されている。なお、データ変換部１３０は、データ配信サーバ１００と、各サーバ２００との間のオペレーションシステムが同じである場合には、データ形式の変換は行わない。
【００３０】
サーバ２００は、図示しないＣＰＵや、メモリや、ハードディスクや、通信装置を備えている。メモリには、ＣＰＵが実行することによって、図示した制御部２１０として機能するコンピュータプログラムが格納されている。ハードディスクには、送信データ用データベース２３０と、送信制御データベース２４０と、受信データ用データベース２５０とが格納されている。
【００３１】
制御部２１０は、送信データ用データベース２３０と、送信制御データベース２４０と、受信データ用データベース２５０とに格納されているデータの読み出し、および、書き込みの制御を行う。送信データ用データベース２３０は、データ配信サーバ１００に送信するための各種データを格納する。送信制御データベース２４０は、データ配信サーバ１００に送信したデータの送信履歴情報を格納する。この送信履歴情報については、後述する。受信データ用データベース２５０は、データ配信サーバ１００から受信した配信データを格納する。この配信データは、サーバ２００に接続された図示しない端末によって閲覧可能である。
【００３２】
図３は、受信制御データベース１５０に格納されている収集規定の一例を示す説明図である。収集規定には、各サーバ２００からのデータ収集に関するルールが規定されている。この収集規定は、任意に設定可能である。図示した例では、収集規定には、「ホスト名」や、「ファイルＩＤ」や、「インターバル」や、「リトライ上限値」が規定されている。受信制御データベース１５０には、データの収集結果である「結果」も記録される。「ホスト名」は、データの収集元となるサーバ２００の名前である。「ファイルＩＤ」は、収集すべきデータファイルの識別情報である。「インターバル」は、データ収集を行うスケジュールを表している。例えば、「ＤＡＩＬＹ_１」は、「１０時と、１２時と、１４時にデータ収集を行う」ことが規定されている。「リトライ上限値」は、データ収集に失敗したときに、データ収集をリトライする回数の上限値である。「結果」には、データ収集に成功した場合には、「ＯＫ」が記録され、データ収集が繰り返し失敗し、リトライ回数がリトライ上限値まで達した場合には、「ＮＧ」が記録される。なお、図示は省略したが、本実施例における収集規定には、「結果」が「ＮＧ」となった場合のエラー処理や、各データの収集の順序や、受信したデータのデータ形式をデータ変換部１３０によって変換する際の変換ルールについても規定されている。エラー処理としては、例えば、収集元のサーバ２００に電子メールを送信してエラー通知を行うことなどが挙げられる。
【００３３】
図４は、配信制御データベース１６０に格納されている配信規定の一例を示す説明図である。配信規定には、各サーバ２００へのデータ配信に関するルールが規定されている。この配信規定は、任意に設定可能である。図示した例では、配信規定には、「ホスト名」と、「ファイルＩＤ」と、「内容」と、「インターバル」とが規定されている。「ホスト名」は、配信データの配信先となるサーバ２００の名前である。「ファイルＩＤ」は、配信データのデータファイルの識別情報である。「内容」は、管理データから作成する配信データの内容である。例えば、「ＦＩＬＥ_ＤＡＩＳＹ」は、管理データとして管理されている全情報の中から、在庫情報と、製造仕掛品情報と、出荷実績情報とを抽出して配信データを作成することを示している。「インターバル」は、データ配信を行うスケジュールである。「インターバル」の内容は、先に説明した受信制御データベース１５０と同様である。なお、図示は省略したが、本実施例における配信規定には、配信データのデータ形式をデータ変換部１３０によって変換する際の変換ルールについても規定されている。また、配信制御データベース１６０には、配信データの配信結果も記録される。
【００３４】
図５は、送信制御データベース２４０の内容一例を示す説明図である。この送信制御データベース２４０は、データ配信サーバ１００へのデータの送信ログを格納している。図示した例では、送信制御データベース２４０には、「ファイルＩＤ」と、「受信開始時刻」と、「受信終了時刻」と、「送信レコード件数」とが格納されている。「ファイルＩＤ」は、データ配信サーバ１００に送信したデータファイルの識別情報である。「受信開始時刻」は、データ配信サーバ１００がデータの受信を開始した時刻である。「受信終了時刻」は、データ配信サーバ１００がデータの受信を終了した時刻である。「送信レコード件数」は、サーバ２００が送信したレコードの件数である。なお、図示は省略したが、本実施例では、送信制御データベース２４０は、サーバ２００がデータの送信を開始した「送信開始時刻」や、データの送信を終了した「送信終了時刻」も格納している。これらのログを参照することによって、サーバ２００が送信したデータと、データ配信サーバ１００が受信したデータとの整合性を点検することができる。
【００３５】
Ｃ．データ収集処理：
図６は、データ収集処理の流れを示すフローチャートである。データ配信サーバ１００のＣＰＵが実行する処理である。
【００３６】
データ配信サーバ１００は、受信制御データベース１５０を参照し（ステップＳ１１０）、データ収集を行う時刻になると、受信すべきデータファイルのファイルＩＤ、および、収集の順序を取得し（ステップＳ１２０）、収集規定に基づいて、ファイルのコピー処理を実行する（ステップＳ１２０）。
【００３７】
このコピー処理では、データ配信サーバ１００は、まず、収集元となるサーバ２００にファイルの受信開始時刻を送信する。この受信開始時刻は、サーバ２００の送信制御データベース２４０に記録される。そして、データ配信サーバ１００は、サーバ２００の送信データ用データベース２３０から収集対象のファイルを受信し、データ変換部１３０によって、データ形式の変換を行い、管理データとして管理データ用データベース１７０に格納する。そして、データ配信サーバ１００は、サーバ２００にファイルの受信終了時刻を送信する。この受信終了時刻は、サーバ２００の送信制御データベース２４０に記録される。そして、データ配信サーバ１００は、ファイルの収集結果を受信制御データベース１５０に記録する。
【００３８】
次に、データ配信サーバ１００は、コピー処理が完了したか否かを判断する（ステップＳ１３０）。ファイルのコピー処理が完了した場合には（ステップＳ１３０：ＹＥＳ）、データ配信サーバ１００は、未処理ファイルがあるか否かを判断する（ステップＳ１６０）。未処理ファイルがある場合には（ステップＳ１６０：ＹＥＳ）、ステップＳ１１０に戻る。未処理ファイルがない場合には（ステップＳ１６０：ＮＯ）、データ収集処理を終了する。
【００３９】
ステップＳ１３０において、コピー処理が完了しなかった場合には（ステップＳ１３０：ＮＯ）、データ配信サーバ１００は、リトライ回数ＮＲがリトライ上限値ＮＵＬ以下であるか否かを判断する（ステップＳ１４０）。リトライ回数ＮＲがリトライ上限値ＮＵＬ以下である場合には（ステップＳ１４０：ＹＥＳ）、ステップＳ１２０に戻り、再度、コピー処理を実行する。リトライ回数ＮＲがリトライ上限値ＮＵＬを超えた場合には（ステップＳ１４０：ＮＯ）、収集規定に基づいて、エラー処理を実行する。
【００４０】
以上説明したデータ収集処理によって、データ配信サーバ１００は、所望のデータを、所望のタイミングで、所望のデータ形式で、各サーバ２００から自動収集することができる。
【００４１】
Ｄ．データ配信処理：
図７は、データ配信処理の流れを示すフローチャートである。データ配信サーバ１００のＣＰＵが実行する処理である。
【００４２】
データ配信サーバ１００は、配信制御データベース１６０を参照し（ステップＳ２００）、配信データを配信する時刻になると、配信先となるサーバ２００を決定し（ステップＳ２１０）、配信規定に基づいて、そのサーバ２００に配信すべき配信データを作成する（ステップＳ２２０）。そして、データ配信サーバ１００は、データ変換部１３０によって、配信データのデータ形式を、配信先となるサーバ２００に対応する形式に変換し、配信する（ステップＳ２３０）。そして、データ配信サーバ１００は、配信データの配信結果を配信制御データベース１６０に記録する。
【００４３】
次に、データ配信サーバ１００は、配信データを未配信のサーバ２００があるか否かを判断する（ステップＳ２４０）。未配信のサーバ２００がある場合には（ステップＳ２４０：ＹＥＳ）、ステップＳ２１０に戻る。未配信のサーバ２００がない場合には（ステップＳ２４０：ＮＯ）、データ配信処理を終了する。
【００４４】
以上説明したデータ配信処理によって、データ配信サーバ１００は、所望の配信データを、所望のタイミングで、所望のデータ形式で、各サーバ２００に配信することができる。
【００４５】
以上説明した本実施例のデータ配信システム１０００では、データ配信サーバ１００は、所定の収集規定に基づいて、各サーバ２００からデータを自動収集して、管理データとして一元管理する。そして、データ配信サーバ１００は、所定の配信規定に基づいて、管理データから、各サーバ２００に対応する配信データを作成して自動配信する。したがって、データ配信を行う際の利便性の向上を図ることができる。
【００４６】
Ｅ．変形例：
以上、本発明の実施の形態について説明したが、本発明はこのような実施の形態になんら限定されるものではなく、その要旨を逸脱しない範囲内において種々なる態様での実施が可能である。例えば、以下のような変形例が可能である。
【００４７】
Ｅ１．変形例１：
上記実施例では、データ配信サーバ１００は、データ変換部１３０を備えているが、例えば、データ配信サーバ１００と、各サーバ２００とのオペレーションシステムが同じである場合等、データ形式に変換が不要な場合には、データ変換部１３０を備えないようにしてもよい。
【００４８】
Ｅ２．変形例２：
上記実施例では、データ配信サーバ１００は、受信制御部１１０、および、受信制御データベース１５０を備えているが、各サーバ２００からデータの自動収集を行わない場合には、これらを備えないようにしてもよい。
【００４９】
Ｅ３．変形例３：
上記実施例のデータ配信システム１０００は、データウェアハウスシステムや、サプライチェーンマネジメントシステムに適用することができる。
【図面の簡単な説明】
【００５０】
【図１】本発明の一実施例としてのデータ配信システム１０００の概略構成を示す説明図である。
【図２】データ配信サーバ１００の概略構成を示す説明図である。
【図３】受信制御データベース１５０に格納されている収集規定の一例を示す説明図である。
【図４】配信制御データベース１６０に格納されている配信規定の一例を示す説明図である。
【図５】送信制御データベース２４０の内容一例を示す説明図である。
【図６】データ収集処理の流れを示すフローチャートである。
【図７】データ配信処理の流れを示すフローチャートである。
【符号の説明】
【００５１】
１０００...データ配信システム
１００...データ配信サーバ
１１０...受信制御部
１２０...配信制御部
１３０...データ変換部
１４０...通信部
１５０...受信制御データベース
１６０...配信制御データベース
１７０...管理データ用データベース
２００...サーバ
２１０...制御部
２２０...通信部
２３０...送信データ用データベース
２４０...送信制御データベース
２５０...受信データ用データベース
ＩＮＴ...インターネット
【図１】
2005346133.tif 000003
【図２】
2005346133.tif 000004
【図３】
2005346133.tif 000005
【図４】
2005346133.tif 000006
【図５】
2005346133.tif 000007
【図６】
2005346133.tif 000008
【図７】
2005346133.tif 000009